(57)【要約】移動端末の外観を変える方法及び装置が提供される。移動端末ハウジングにウィンドウ（３０２）が設けられる。このウィンドウの内部に第１の電極（３０４）が形成される。導電性ポリマ層（３１０）が第１の電極上に形成される。電解液層（３１８）が導電性ポリマ層にわたって形成される。電解液層と接触してイオン貯蔵層（３２４）が形成される。イオン貯蔵層と接触して第２の電極（３２６）が形成される。第１の電極と第２の電極へ電圧を供給するための電源が設けられ、電圧の印加時に導電性ポリマ層の状態が第１の無着色状態から第２の着色状態へ変化して、ハウジングの導電性ポリマ層の状態の変化が目に見える外観を変えることになる。【特許請求の範囲】
【請求項１】
ウィンドウを有するハウジングと、
前記ウィンドウの内部に形成される第１の電極と、
前記第１の電極上にわたって形成される導電性ポリマ層と、
前記導電性ポリマ層上にわたって形成される電解液層と、
前記電解液層と接触して形成されるイオン貯蔵層と、
前記イオン貯蔵層と接触して形成される第２の電極と、
前記第１の電極と前記第２の電極へ電圧を供給するための電源とを備え、
前記導電性ポリマ層の状態は、前記電圧の印加時に第１の無着色状態から第２の着色状態へ変化し、さらに、
前記導電性ポリマ層の前記状態の前記変化は、前記ハウジングの外観を変えることを特徴とする移動端末。
【請求項２】
前記ウィンドウは透明なウィンドウであることを特徴とする請求項１に記載の移動端末。
【請求項３】
前記ハウジングは複数の透明なウィンドウを含むことを特徴とする請求項２に記載の移動端末。
【請求項４】
前記複数の透明なウィンドウは、予め構成されたデザインの中へ形成されることを特徴とする請求項３に記載の移動端末。
【請求項５】
前記電極は前記ウィンドウの内部に形成されるフレームを備えることを特徴とする請求項１に記載の移動端末。
【請求項６】
前記電極は導電性金属から成ることを特徴とする請求項１に記載の移動端末。
【請求項７】
前記導電性ポリマ層は、前記ウィンドウを通じて見えることを特徴とする請求項１に記載の移動端末。
【請求項８】
前記第１の無着色状態は前記導電性ポリマ層の酸化状態に対応し、前記第２の着色状態は前記導電性ポリマ層の還元状態に対応することを特徴とする請求項１に記載の移動端末。
【請求項９】
前記導電性ポリマ層は、ポリ（スチレンスルホン酸）によってドープされたポリ（３，４-エチレンジオキシチオフェン（ethylenedioxythiopene））からなることを特徴とする請求項１に記載の移動端末。
【請求項１０】
前記導電性ポリマ層はスピン・コーティングによって塗布されることを特徴とする請求項１に記載の移動端末。
【請求項１１】
前記導電性ポリマ層は約１００ｎｍ〜約５０００ｎｍの範囲の厚さを有することを特徴とする請求項１に記載の移動端末。
【請求項１２】
前記導電性ポリマ層の内部表面は塗装されることを特徴とする請求項１に記載の移動端末。
【請求項１３】
前記電解液層はゲルとして塗布された塩からなることを特徴とする請求項１に記載の移動端末。
【請求項１４】
前記ハウジングは第２のウィンドウを含み、前記第２の電極は前記第２のウィンドウの内部に形成され、さらに、前記イオン貯蔵層は前記第２の電極上にわたって形成される第２の導電性ポリマ層を備えることを特徴とする請求項１に記載の移動端末。
【請求項１５】
前記導電性ポリマ層の前記状態は、約０．６ボルト〜約２．０ボルトの範囲の電圧の印加時に、第１の無着色状態から第２の着色状態へ変化することを特徴とする請求項１に記載の移動端末。
【請求項１６】
前記電源及び前記導電性ポリマ層と動作可能に結合されたトランジスタ素子と、
前記電源から前記導電性ポリマ層へ電力を供給するために前記トランジスタ素子のアドレス指定を行うように構成されたロジックと
をさらに備えることを特徴とする請求項１に記載の移動端末。
【請求項１７】
前記ハウジングが第２のウィンドウを有する移動端末であって、
前記第２のウィンドウの内部に形成される前記第２の電極と、
前記第２の電極上にわたって形成される第２の導電性ポリマ層とをさらに備え、
前記電解液層は、前記電圧の印加時に、前記導電性ポリマ層と前記第２の導電性ポリマ層とにわたって、及び、前記導電性ポリマ層と前記第２の導電性ポリマ層との間に形成され、
前記導電性ポリマ層の状態は第１の無着色状態から第２の着色状態へ変化し、前記第２の導電性ポリマ層の状態は第１の着色状態から第２の無着色状態へ変化し、
前記導電性ポリマ層及び前記第２の導電性ポリマ層の前記状態の前記変化は、前記ハウジングの目に見える外観を変えることを特徴とする請求項１に記載の移動端末。
【請求項１８】
移動端末の外観を変える方法であって、
移動端末のハウジングにウィンドウを設けるステップと、
前記ウィンドウ上にわたって第１の電極を形成するステップと、
前記電極層にわたって導電性ポリマ層を形成するステップと、
前記導電性ポリマ層にわたって電解液層を形成するステップと、
前記電解液層との電気的接続時にイオン貯蔵層を形成するステップと、
前記イオン貯蔵層との電気的接続時に形成される第２の電極と、
前記第１の電極及び前記第２の電極に対して電圧を印加するステップとを有し、
電圧を印加する前記ステップは、前記導電性ポリマ層を第１の可視状態から第２の可視状態へ推移させることを特徴とする方法。
【請求項１９】
前記ウィンドウはマスクデザインから形成されることを特徴とする請求項１８に記載の方法。
【請求項２０】
前記ウィンドウは前記ハウジングの表面の大部分を含むことを特徴とする請求項１８に記載の方法。
【請求項２１】
前記第１の可視状態は実質的に透明な可視状態であり、前記第２の可視状態は実質的に不透明な状態であることを特徴とする請求項１８に記載の方法。
【請求項２２】
前記第１の電極と前記第２の電極との間に第１の電圧を印加して、前記第１の可視状態から前記第２の可視状態へ前記導電性ポリマ層を変えるようにするステップと、
第１の電圧と反対の第２の電圧を前記第１の電極と前記第２の電極との間に印加して、前記第２の可視状態から前記第１の可視状態へ前記導電性ポリマ層を変えるようにするステップと
をさらに有することを特徴とする請求項１８に記載の方法。
【請求項２３】
移動電話機のハウジングに形成される第１の透明な又は半透明な領域と、第２の透明な又は半透明な領域とを有する移動電話機のハウジングと、
前記第１の透明な又は半透明な領域の裏側に形成される第１の電極と、
前記第２の透明な又は半透明な領域の裏側に形成される第２の電極と、
前記第１の電極の裏側に形成される第１の導電性ポリマ領域であって、前記少なくとも１つの透明な又は半透明な領域を通じて目に見える第１の導電性ポリマ領域と、
前記第２の電極の裏側に形成される第２の導電性ポリマ領域であって、前記少なくとも１つの透明な又は半透明な領域を通じて目に見える第２の導電性ポリマ領域可視と、
前記第１及び第２の導電性ポリマ領域上にわたって形成される電解液層と、
イベントに応じるように構成されたロジックとを備え、
前記イベントに応じて、前記ロジックは、電源から前記第１及び第２の電極へ電圧を供給させ、それによって前記第１及び第２の導電性ポリマ領域の色を変えることを特徴とするシステム。
【請求項２４】
前記イベントは、前記移動電話機に関連づけられた入力装置とのユーザのやりとりであることを特徴とする請求項２３に記載のシステム。
【請求項２５】
前記ユーザのやりとりは、前記移動電話機におけるメニュー駆動型ディスプレイとのユーザのやりとりを備えることを特徴とする請求項２４に記載のシステム。
【請求項２６】
前記イベントは移動電話機のアラートであることを特徴とする請求項２３に記載のシステム。
【請求項２７】
前記移動電話機のアラートは着呼アラートであることを特徴とする請求項２６に記載のシステム。
【請求項２８】
前記移動電話機のアラートはメッセージ着信アラートであることを特徴とする請求項２６に記載のシステム。
【請求項２９】
前記移動電話機のハウジングは、デザインパターンの中へ構成される複数の透明な又は半透明な領域を含むことを特徴とする請求項２３に記載のシステム。
【請求項３０】
複数の透明な又は半透明な領域の各領域は、前記透明な又は半透明な領域にわたって形成されるそれぞれの電極と、前記電極上にわたって形成される導電性ポリマ層と、前記導電性ポリマ層にわたって形成される電解液層であって、少なくとも１つの別の導電性ポリマ層と電気的接触状態にある電解液層とを含み、
前記ロジックは、複数の導電性ポリマ領域の各領域の色を選択的に変えるように構成されることを特徴とする請求項２９に記載のシステム。
【発明の詳細な説明】
【技術分野】
【０００１】
本発明は、電子装置における表示要素に関する。さらに詳細には、電子装置の一部は、電子装置において生じるイベントに応じて１以上の表示要素を含むように構成される。
【背景技術】
【０００２】
移動端末すなわち移動電話機の人気及び利用は過去２０年間にわたって急増している。人々は現在自分の移動端末をどこへでも持ち運び、多数の機能のために移動端末を利用している。通話の発信と受信とを行うことに加えて、移動端末は、カレンダ、タスクマネージャ、ノートマネージャ及び多くの他の機能を有するパーソナル・デジタル・アシスタントとしても機能することができる。
【０００３】
通常の移動端末はビジュアルインタフェースを移動端末に提供するための１以上の高解像度ディスプレイを含む。例えば、移動端末の高解像度ディスプレイは、通話情報、連絡先情報、メニューナビゲーションシステム、写真などを表示する能力を備えた液晶ディスプレイ（ＬＣＤ）を含むことができる。しかし残念ながら、これらの高解像度ＬＣＤディスプレイは動作するのに通常大きな電力を必要とする。したがって、長時間にわたる作動は移動端末のバッテリパフォーマンスに悪影響を与える可能性がある。ディスプレイに加えて、従来の移動端末には、装置用ハウジング、（キーパッドなどの）入出力装置、カメラ、及びアンテナも含まれる。
【発明の開示】
【発明が解決しようとする課題】
【０００４】
移動端末の人気が増大するにつれて、装置の目に見えるスタイルの変化を望む要求が生じて来る。例えば、移動端末ユーザが、保護カバーと、自分の移動端末を飾るためにさらに装飾的な宝石を購入することさえある。移動端末がどこにでもあるものになるにつれて、移動端末を自分の好みに合わせたものにしたいという要望がさらに大きくなることが考えられる。
【課題を解決するための手段】
【０００５】
本発明の原理に従う実施形態によれば、移動端末を提供することができる。移動端末はウィンドウを有するハウジングを含むことができる。このウィンドウにわたって第１の電極を形成することができる。電極上にわたって導電性ポリマ層を形成することができる。導電性ポリマ層にわたって電解液層を形成することができる。電解液層と接触してイオン貯蔵層を形成することができる。イオン貯蔵層と接触して第２の電極を形成することができる。移動端末は、第１の電極及び第２の電極へ供給する電圧用の電源をさらに含むことができる。その場合、導電性ポリマ層の状態は、電圧の印加時に第１の無着色状態から第２の着色状態へ変化する。その場合、導電性ポリマ層の状態の変化は、ハウジングの目に見える外観を変えることになる。
【０００６】
ウィンドウは透明なウィンドウにすることができる。
【０００７】
ハウジングは複数の透明なウィンドウを含むことができる。
【０００８】
移動端末は、予め構成されたデザインの中へ形成された複数の透明なウィンドウを含むことができる。
【０００９】
電極はウィンドウの内部に形成されるフレームであってもよい。
【００１０】
電極は導電性金属を備えることができる。
【００１１】
導電性ポリマ層はウィンドウと電極とを通じて閲覧可能にすることができる。
【００１２】
導電性ポリマ層の第１の無着色状態は導電性ポリマの酸化状態に対応し、第２の着色状態は導電性ポリマの還元状態に対応する。
【００１３】
導電性ポリマ層は、ポリ（スチレンスルホン酸）によってドープされたポリ（３，４-エチレンジオキシチオフェン（ethylenedioxythiopene））からなるものであることができる。
【００１４】
導電性ポリマ層はスピン・コーティングにより塗布することができる。
【００１５】
導電性ポリマ層は１００ｎｍ〜約５０００ｎｍの範囲の厚さを有することができる。
【００１６】
導電性ポリマ層は塗装された内部表面を含むことができる。
【００１７】
電解液層はゲルとして塗布された塩であってもよい。
【００１８】
ハウジングは第２のウィンドウを含むことができ、第２の電極は第２のウィンドウの内部に形成される。さらに、イオン貯蔵層は第２の電極上にわたって形成される第２の導電性ポリマ層を備える。
【００１９】
導電性ポリマ層の状態は、電圧の印加時に約０．６ボルト〜約２．０ボルトの範囲で第１の無着色状態から第２の着色状態へ変化することができる。
【００２０】
移動端末は電源及び導電性ポリマ層と動作可能に結合されたトランジスタ素子をさらに含むことができる。ロジックを構成して、トランジスタ素子のアドレス指定を行い、電源から導電性ポリマ層へ電力を供給するようにすることができる。
【００２１】
移動端末はまた第２のウィンドウを含むことができ、該第２のウィンドウの内部に第２の電極を形成することができる。この第２の電極上にわたって第２の導電性ポリマ層を形成することができ、導電性ポリマ層と第２の導電性ポリマ層上にわたって、及び、導電性ポリマ層と第２の導電性ポリマ層との間に電解液層を形成することができる。電圧の印加時に、導電性ポリマ層の状態は第１の無着色状態から第２の着色状態へ変化することができ、そして、第２の導電性ポリマ層の状態は第１の着色状態から第２の無着色状態へ変化する。導電性ポリマ層と第２の導電性ポリマ層の状態の変化はハウジングの目に見える外観を変えることができる。
【００２２】
本発明の原理に従う別の実施形態によれば、移動端末の外観を変える方法を提供することができる。この方法は、移動端末ハウジングにウィンドウを設けるステップと、このウィンドウにわたって電極層を形成するステップと、電極層にわたって導電性ポリマ層を形成するステップと、導電性ポリマ層にわたって電解液層を形成するステップと、電解液層との電気的接続時にイオン貯蔵層を形成するステップと、イオン貯蔵層との電気的接続時に第２の電極を形成するステップと、第１の電極と第２の電極に電圧を印加するステップとを含むことができる。ここで、電圧を印加する上記ステップは、第１の可視状態から第２の可視状態への推移を導電性ポリマ層に行わせる。
【００２３】
上記方法はマスクデザインのウィンドウを形成するステップを含むことができる。
【００２４】
透明なウィンドウはハウジングの表面の大部分を含むことができる。
【００２５】
第１の可視状態は実質的に透明な可視状態にすることができ、第２の可視状態は実質的に不透明な状態にすることができる。
【００２６】
上記方法は、第１の電極と第２の電極との間に第１の電圧を印加して、導電性ポリマ層を第１の可視状態から第２の可視状態へ変えるステップと、第１の電極と第２の電極との間に第１の電圧とは反対の第２の電圧を印加して、第２の可視状態から第１の可視状態へ導電性ポリマ層を変えるステップとをさらに含むことができる。
【００２７】
本発明のさらに別の実施形態によれば、システムが、移動電話機のハウジングの中に第１の透明な又は半透明な領域と、第２の透明な又は半透明な領域とを有する移動電話機のハウジングを含むことができる。第１の電極は第１の透明な又は半透明な領域の後ろに形成することができる。第２の電極は第２の透明な又は半透明な領域の後ろに形成することができる。第１の導電性ポリマ領域は第１の電極の後に形成することができ、該第１の目に見える導電性ポリマ領域は、上記少なくとも１つの透明な又は半透明な領域を通して目で見ることができる。第２の導電性ポリマ領域は第２の電極の後に形成することができ、該第２の目に見える導電性ポリマ領域は、上記少なくとも１つの透明な又は半透明な領域を通して目で見ることができる。第１及び第２の導電性ポリマ領域にわたって電解液層を形成することができる。イベントに応答するようにロジックを構成することができる。その場合、イベントに応じて、ロジックは、電源から第１及び第２の電極に電圧を供給させ、それによって導電性ポリマ領域のカラー状態を変えることになる。
【００２８】
上記イベントは移動電話機に関連づけられた入力装置とのユーザのやりとりを含むものであってもよい。
【００２９】
上記ユーザのやりとりは移動端末上でのメニュー駆動型ディスプレイとのユーザのやりとりを含むものであってもよい。
【００３０】
上記イベントは移動電話機のアラートを含むことができる。
【００３１】
上記移動電話機のアラートは着呼アラートを含むことができる。
【００３２】
上記移動電話機のアラートは着信メッセージアラートを含むことができる。
【００３３】
移動電話機のハウジングはデザインパターンの中へ構成された複数の透明な又は半透明な領域を含むことができる。
【００３４】
複数の透明な又は半透明な領域の各々は、透明な又は半透明な領域にわたって形成されるそれぞれの電極と、該電極上にわたって形成される導電性ポリマ層と、該導電性ポリマ層にわたって形成される電解液層であって、少なくとも１つの別の導電性ポリマ層と電気的接触状態にある電解液層を含むことができる。複数の導電性ポリマ領域の各々のカラーを選択的に変更するようにロジックを構成することができる。
【００３５】
添付図面を参照するが、これらの添付図面を通じてずっと、同じ参照番号を指定する要素は同様の要素を表すことができる。
【発明を実施するための最良の形態】
【００３６】
本発明の以下の詳細な説明は添付図面を参照するものである。異なる図面における同じ参照番号は同じ要素又は類似の要素を同定するものとする。また、以下の詳細な説明は本発明を限定するものではない。代わりに、本発明の範囲は添付の請求項及び均等物により規定される。
【００３７】
図１Ａは、本発明に従うシステム及び方法を実現できる例示の移動端末装置１００の正面図である。以下、移動端末に関連して本発明について説明する。本明細書で使用されているように、「移動端末」という用語は、マルチライン表示の有無に関わらず、セルラ無線電話機、セルラ無線電話機をデータ処理、ファクシミリ及びデータ通信機能と組み合わせることができる個人通信システム（ＰＣＳ）端末、無線電話機、ページャ、インターネット／イントラネットアクセス、ウェブブラウザ、電子手帳、カレンダ、全地球測位システム（ＧＰＳ）受信機のうちの少なくともいずれかを含むことができるパーソナル・デジタル・アシスタント（ＰＤＡ）及び従来型のラップトップとパームトップ受信機又は無線電話トランシーバを含む別の機器との少なくともいずれかを含むことができる。移動端末は「パーベイシブ・コンピューティング」装置とも呼ばれる。移動端末１００はまた、オプションとしてカメラも含むことができる。さらに、移動端末は、キャンディバー、シェル、フリップ、スライダ、及びスイベル又はピボットスタイルを含む広い種々のフォームファクタを含むことができる。本発明の原理は、フォームファクタに関係なく移動端末に適用できることは明らかである。
【００３８】
図１Ａを参照してわかるように、移動端末１００は設定変更可能な表示領域１２０を有するハウジングすなわちカバー１１０を含むことができる。さらに、移動端末はオプションとしてカメラのレンズ１３０及びシャッタボタン１４０を含むことができる。ハウジング１１０は、要素の外側から移動端末１００の部品を保護することができる。設定変更可能な表示領域１２０について以下さらに詳細に説明する。この表示領域は、ハウジング１１０内の低出力設計又はアラート要素用として提供するための１以上の表示要素を含むことができる。カメラのレンズ１３０は光を合焦することができ、レンズ素子を含むことができる。以下詳細に記載のように、レンズ１３０のカバーを外して、ユーザは写真を撮影することができ、カメラを使用していないとき、レンズカバー（図示せず）を制御してレンズ１２０をカバーすることが可能である。写真を撮影するためにユーザはシャッタボタン１４０を押すことができる。
【００３９】
図１Ｂは、本発明に従うシステム及び方法を実現できる別の例示の移動端末装置１５０の正面図である。移動端末装置１００の場合と同様、移動端末装置１５０はハウジング１６０及び設定変更可能な表示領域１７０を含むことができる。移動端末１５０は、高解像度ディスプレイ及びキーパッドを露出するために開くシェル型すなわち「フリップ型」フォームファクタを有することができる。
【００４０】
図２は、本発明に従う実装例による移動端末１００のいくつかの部品を例示する図である。移動端末１００は、処理ロジック２１０、メモリ２２０、入力装置２３０、電源２４０、高出力ディスプレイ２５０、及び低出力の設定変更可能なディスプレイ２６０を含むことができる。当業者であれば、複数の別の方法で移動端末１００を構成することができること、並びに、１以上の無線周波数（ＲＦ）アンテナ、トランシーバ、変調器／復調装置、エンコーダ／デコーダ、スピーカなどのような別の又は各種の要素を含むことができることを認識するであろう。
【００４１】
処理ロジック２１０は、プロセッサ、マイクロプロセッサ、特定用途向け集積回路（ＡＳＩＣ）、フィールドプログラマブルゲートアレイ（ＦＰＧＡ）等を含むことができる。処理ロジック２１０は、移動端末１００の動作を制御するソフトウェアプログラム又はデータ構造を実行することができる。メモリ２２０は、処理ロジック２１０によって実行するための情報及び命令を記憶するランダムアクセスメモリ（ＲＡＭ）又は別のタイプのダイナミックな記憶装置と、処理ロジック２１０によって利用するためのスタティックな情報及び命令を記憶するリードオンリメモリ（ＲＯＭ）又は別のタイプのスタティックな記憶装置と、別の或るタイプの磁気又は光学記録媒体及びその対応する駆動装置との少なくともいずれかを含むことができる。また、処理ロジック２１０によって用いられる命令は上記とは別に処理ロジック２１０によりアクセス可能な別のタイプのコンピュータ可読媒体に記憶することも可能である。コンピュータ可読媒体は１以上のメモリ装置と搬送波との少なくともいずれかを含むことができる。
【００４２】
入力装置２３０は、マイク、キーボード、キーパッド、マウス、ペン、スタイラスペン、タッチスクリーン表示装置、音声認識と生物測定メカニズム等のうちの少なくともいずれかのような、オペレータによる移動端末１００への情報の入力を可能にする任意のメカニズムを含むことができる。入力装置２３０はまた、ユーザが高出力ディスプレイ２５０用オプションメニューを受信できるようにするボタンも含むことができる。
【００４３】
電源２４０は、高出力ディスプレイ２５０及び低出力の構成可能なディスプレイ２６０のような移動端末１００の部品へ電力を供給することができる。高出力ディスプレイ２５０は、例えば通話情報、電話情報又はアドレス帳情報などを含む、ユーザへの種々のタイプの情報の表示を容易にすることができる。さらに、高出力ディスプレイ２５０は、インタラクティブなメニュー、ウェブブラウザ、写真などを閲覧するための高解像度インタフェースを提供することもできる。以上略述したように、高出力ディスプレイ２５０は通常液晶ディスプレイから形成される。本発明の原理に従う１つの実装例では、低出力の構成可能なディスプレイ２６０は、大きな消費電力を必要とすることなく、ダイナミックな表示又はアラート機能を提供するように構成することができる。低出力の構成可能なディスプレイ２６０の具体的な事項について以下詳細に説明する。
【００４４】
本発明に従って、移動端末１００は、例えば構成可能なディスプレイ２６０のダイナミックな変化に関連づけられる処理を行うことが可能である（図１Ａ及び図１Ｂのそれぞれの領域１２０と１７０）。移動端末１００は、メモリ２２０のようなコンピュータ可読媒体の中に含まれる一続きの命令を実行する処理ロジック２１０に応じて、及びオプションとして、入力装置２３０によるユーザのやりとりに応じてこれらの処理を実行することができる。コンピュータ可読媒体は、１以上のメモリ装置と搬送波との少なくともいずれかを含むことができることは明らかである。メモリ２２０の中に含まれる一続きの命令の実行は、処理ロジック２１０と低出力ディスプレイ２６０の少なくともいずれかに以下に説明するアクションを行わせる。以下に説明するように、本発明によれば、ソフトウェア命令と組み合わせて、有線回路を使用して処理を実行することができる。したがって、本発明に従う実装構成は、ハードウェア回路とソフトウェアとの何らかの特定の組み合わせに限定されるものではない。
【００４５】
図３Ａは本発明の原理に従う１つの実装構成に従う設定変更可能な表示領域２６０の分解等角図である。（図１Ａの領域１２０などの）設定変更可能な表示領域２６０は、ウィンドウ３０２、電極３０４と３０６、接点３０５と３０７、導電性ポリマ層３１０と３１２、及び電解液層３１８を含むことができる。上述のように、設定変更可能な表示領域１２０は、図１Ａに示すように、移動端末１００のハウジング１１０の中に含まれるか、一体化されるものであってもよい。１つの実装例では、ハウジング１１０の設定変更可能な表示領域１２０は、透明なプラスチックのような透明な材料から形成される１以上のウィンドウすなわち開口部３０２を含むことができる。１つの実施形態では、ハウジング１１０のほとんどすべては透明な材料から形成することができる。その場合、電極３０４と３０６はウィンドウ３０２にわたって形成することも可能である。
【００４６】
本発明の原理に従う１つの実施形態では、電極３０４と３０６は、ウィンドウ３０２の目に見える領域を取り囲むフレーム又はバンドの中へ形成される金属又は別の導電材料を含むことができる。電極３０４と３０６は薄膜又は金属塗料として形成することができる。さらに、例示の導電材料は銅及びアルミニウムを含むことができる。但し本発明の原理に従う態様で任意の好適な材料を使用することも可能である。一実現例では、電極３０４と３０６は、印刷、塗装、化学蒸着、スパッタリングなどを含む公知の手段によってハウジング１１０の内部表面３０８上に成膜することができる（但しこれらのみに限定されるわけではない）。
【００４７】
代替の実施形態（図示せず）では、電極３０４と３０６は各ウィンドウ３０２の全体にわたって形成される透明な導電材料を含むことができる。このような電極は、物理蒸着、スパッタリング、化学蒸着、すなわち熱刺激によるか、無線周波数刺激等によるかの少なくともいずれかのような手段によって、ウィンドウ３０２の内部表面にわたって成膜することができる。１つの実装例では、このような透明電極層は、約１００ｎｍ〜約５００ｎｍの範囲の厚さを有する、ＳｎＯ２：Ｆ、ＳｎＯ２：Ｓｂ、Ｉｎ２Ｏ３：Ｓｎ（ＩＴＯ（インジウム酸化第１錫））、Ｃｄ２ＳｎＯ４、ＺｎＯ：Ａｌ、及びＺｎＯＩｎのような高度にドープされた金属酸化膜を含むことができる。上記とは別に、半導体属性を有する他の任意の好適な、実質的に透明な又は半透明な導電性金属酸化膜又は金属硫化物も使用することも可能である。本実施形態では、電極３０４と３０６は、可視光線の通過に対して効果的に透明にすることができ、それによって光は、以下詳細に説明する基底層に達することができるようになる。
【００４８】
本発明に従う実装構成によれば、接点３０５と３０７は、電極３０４と３０６に動作可能に接続して、電圧を印加することができる。接点３０５と３０７は金属又は任意の好適な導電材料から形成することができる。
【００４９】
電極３０４と３０６の形成に後続して、導電性ポリマ層３１０と３１２は任意の好適な方法でそれぞれ電極３０４と３０６上に形成することができる。１つの実施構成では、導電性ポリマ層３１０と３１２は、液体状態又は流体状態にあるポリマのスピン・コーティング又は塗装により形成することができる。追加の導電性ポリマ層３１０と３１２は、ブラッシング、印刷、スプレー、浸漬、及びロール塗布技法によって塗布することができる。ポリマは別のアセンブリに先行して乾燥することができる。１つの実施形態では、導電性ポリマ層３１０と３１２は８０〜２００℃の間の温度でオーブンの中で乾燥することができる。しかし、乾燥時間は塗布層の厚さ、周囲の温度、空気の湿度などのような要因に依存する場合がある点に留意されたい。
【００５０】
１つの例示の実施形態では、導電性ポリマ層３１０と３１２は、本明細書で以下ＰＥＤＯＴ：ＰＳＳと呼ばれるポリ（スチレンスルホン酸）によってドープされたポリ（３，４−エチレンジオキシチオフェン（ethylenedioxythiophene））から形成することができる。ＰＥＤＯＴ：ＰＳＳは、これに印加される電圧に応じて、実質的に透明な状態と、実質的に不透明な紺青色に見える状態との間で交番することができる。さらに詳細には、ＰＥＤＯＴ：ＰＳＳの光吸収特性は材料の状態に応じて変化する。導電性ポリマがイオンを失う酸化状態では、ＰＥＤＯＴ：ＰＳＳは実質的に透明な特性を示す。逆に、イオンが材料の中へ注入される、すなわち追い込まれる還元状態では、ＰＥＤＯＴ：ＰＳＳは実質的に不透明な紺青色を示す。適切なＰＥＤＯＴ：ＰＳＳ材料の例には、Ｐ．Ｈ．Ｃ．スターク（P.H.C. Starck）社製のベイトロン（Baytron）（登録商標）が含まれる。本発明の原理によれば、導電性ポリマ層３１０と３１２は約１００ｎｍ〜約５０００ｎｍの範囲の厚さを有することができる。
【００５１】
ＰＥＤＯＴ：ＰＳＳに加えて、本発明の原理に従う種々の代替導電性ポリマを用いることができる。このような追加の材料は異なる光吸収特性を示すことができ、この結果、様々な表示カラーを得ることが可能となる。
【００５２】
本発明の原理に従って、導電性ポリマ層３１０と３１２の内部表面３２０と３２２は、それぞれ塗装するか、さもなければ着色して、上記内部表面のそれぞれの導電性ポリマ層３１０と３１２が実質的に透明な状態になるような時間の間、透き通った色を提供することができる。
【００５３】
導電性ポリマ層３１０と３１２の乾燥に続いて、導電性ポリマ層３１０と３１２の内部表面３２０と３２２の上にわたって、及び、導電性ポリマ層３１０と３１２の内部表面３２０と３２２との間に、それぞれ電解液層３１８を形成することができる。電解液は水をベースとした塩混合物、液体、ゲル又は（固化したポリマ電解液などの）固体であってもよい。本発明の原理に従う１つの実施形態では、ゲル状態又は液体状態で電極層３１８を形成し、乾燥できるようにすることができる。
【００５４】
電源２４０から電極３０４／３０６への適切な電圧の印加によって、イオンは、それぞれの導電性ポリマ層３１０と３１２の間を往来して電解液層３１８の中を通って進むように処理され、それによって、導電性ポリマ層３１０と３１２用の、青くて透明な状態が結果として得られることになる。上述のように、ＰＥＤＯＴ：ＰＳＳ以外の材料の使用によって、上述した状態とは異なる色の状態を結果としてもたらすことができる。
【００５５】
本発明の原理に従う１つの実装構成によれば、接点３０５と３０７に対して電源２４０から電力を交番で供給することが可能であり、それによって印加電圧の交番極性が、結果としてそれぞれの導電性ポリマ層３１０と３１２の交番する色の変化をもたらすようにすることが可能となる。例えば、層３１０と３１２に対する第１の電圧印加によって、透明な導電性ポリマ層３１０と着色導電性ポリマ層３１２とを結果として得ることが可能となる。これに対して、反対の電圧の印加によって、結果として着色導電性ポリマ層３１０と透明な導電性ポリマ層３１２とを得ることが可能となる。導電性ポリマ層３１０と３１２の内部表面に対して適切な色を塗布することによって、所望のデザイン及び表示効果を実現することが可能となる。本発明の原理に従う１つの実装構成では、導電性ポリマ層の第１の非着色状態から第２の着色状態への推移は、約０．６ボルト〜２．０ボルトの範囲だけ電圧によって影響を受けることが可能となり、この結果、導電性ポリマ層３１０と３１２の相対的サイズと厚さとに応じて、対応する数μÅのオーダーの電流が得られることになる。
【００５６】
図３Ｂは本発明の原理に従う別の実装構成に従う構成可能な表示領域１２０の実施構成を示す分解等角図である。設定変更可能な表示領域１２０は、図３Ａを参照して上述したものと類似のウィンドウ３０２、透明電極３０４、接点３０５、導電性ポリマ層３１０、電解液層３１８を含むことができる。しかし、本実装構成によれば、設定変更可能領域１２０は積層された配置構成の中へ形成することができ、イオン貯蔵層３２４及びイオン貯蔵層３２４上にわたって形成された後部電極３２６をさらに含むものとなる。電解液層３１８上にわたって、かつ、導電性ポリマ層３１０から電気的に離間してイオン貯蔵層３２４を配置することによって、電極３０４と３２６の両端にわたる電圧の印加時に、電解液３１８を通じて貯蔵層３２４からイオンを付勢することが可能となる。以上詳述したように、電極３０４は金属皮膜又はフォイル囲繞ウィンドウ３０２から形成することができる。イオン貯蔵層は、導電性ポリマ層３１０の材料と類似した導電性ポリマ材料を含む任意の好適な材料を含むものであってもよい。後部電極３２６は導電材料の任意の好適な態様で形成することができる。接点３２８は後部電極３２６と動作可能に接続して、電源２４０からの電圧の印加を行うことができる。
【００５７】
積層された構造に加えて、図３Ｂは、ウィンドウ３０２を星のようなデザイン又は形状に形成できることをさらに示す図である。この形状がハウジング１１０のサイズに物理的に適合するものであれば、本発明の原理に従って任意の望ましい形状を使用できることは明らかである。上記とは別に、ウィンドウ３０２と導電性ポリマ層３１０との間にマスク層（図示せず）を設けてもよく、それによってディスプレイ１２０用の所望の形状が与えられることになる。
【００５８】
図４は、本発明に従う実装において電極３０４と３０７へ電圧を供給するためのシステム例を示す図である。図３Ｂに示すように電極３０４と３２６へ電圧を供給するためのシステムを同様に構成することができる。図４を参照してわかるように、トランジスタスイッチ４１０は、接点３０５と３０７に結合することができ、処理ロジック２１０にも結合することができる。実装例では、電源２４０は、例えば接点３０５と３０７へ１．０ボルトを供給することができる。処理ロジック２１０は、移動端末１００に関連づけられた特定の動作モードに基づいてスイッチ４１０に制御信号を提供することができる。例えば、ユーザアクション又は別のイベントに応じて、処理ロジック２１０は、制御信号をトランジスタスイッチ４１０へ送信して、スイッチ４１０により電源２４０から導電路を生み出し、結果として、第１の導電性ポリマ層３１０の中を通って、又は第１の導電性ポリマ層３１０から離れた方向へ、並びに、第２の導電性ポリマ層３１２の中へ、又は第２の導電性ポリマ層３１２から離れた方向へイオンの流れを生じるようにすることができる。処理ロジック２１０からの制御信号は、特定のシステム要件に基づいてパルスの継続時間をセットできるパルス幅変調信号であってもよい。このようにして、電力は処理ロジック２１０に制御されて接点３０５と３０７へ供給され、導電性ポリマ層３１０と３１２は、交番する非着色状態と着色状態から推移できるようになる。同様に、電極３０４と３２６へ（すなわち、トランジスタスイッチを介して処理ロジック２１０に制御されて接点３０５と３２８へ）電力を供給することができる。このようにして、制御された、構成可能なディスプレイ又は外観を与えることが可能となる。
【００５９】
本発明の原理に従う追加の実装構成では、複数のトランジスタスイッチ４１０を用いることによって、処理ロジック２１０を介して個々の導電性ポリマ層のアドレス指定を行うことができ、結果として所望の外観又は機能がもたらされることになる。例えば、連続する導電性ポリマ層を順次着色状態にし、その結果人気の高い（marquee）外観を得るようにすることが可能となる。上記とは別に、隣り合う導電性ポリマ層の極性を反転して、「フラッシング」ディスプレイを生み出すことができる。導電性ポリマ層の両端にわたる電圧の印加を選択することによって、処理ロジック２１０は種々の導電性ポリマ層のカラー状態を変えることができる。本発明の原理に従う１つの実施形態では、ユーザは、入力装置２３０及び高出力ディスプレイ２５０とインタフェースして、設定変更可能な表示領域２６０の目に見える外観を選択するか、構成するかの少なくともいずれかを行うことが可能となり、それによって移動端末１００を各個人の好みに合わせることが可能となる。
【００６０】
図５は本発明の原理に従う実装構成における移動端末５００の正面図である。移動端末５００はハウジング５０２、構成可能な表示領域５０４、及び複数の整形されたウィンドウ５０６を含むことができる。各ウィンドウ５０６の後ろに、電極、導電性ポリマ層、電解液層、イオン貯蔵層、及び後部電極層（図示せず）を含むアセンブリであって、図３Ｂを参照して上述したアセンブリと実質的に類似したアセンブリを設けることができる。アドレス指定可能な導電性ポリマ層の利用を可能にすることによって、所望のデザイン又は表示機能の達成が可能となる。別の実装例では、導電性ポリマアセンブリをマスクするウィンドウ５０６と共に、単一の透明電極／導電性ポリマ層／電解液層／後部電極層アセンブリ（「導電性ポリマアセンブリ」）を設定変更可能な表示領域５０４の後ろに設けて、所望の表示を行うようにすることができる。
【００６１】
［結論］
本発明に従う実装構成によって、移動端末用のハウジング内で提供される低出力導電性ポリマアセンブリを用いて移動端末の物理的外観を構成可能に変えることが可能になる。選択された導電性ポリマの領域を選択的に着色するか、脱色することによって、最低限の消費電力を用いるようにして端末の目に見える外観又はスタイルに影響を与えることが可能となる。
【００６２】
例えば、ユーザは、ロジックプロセッサによって提供されるメニュー駆動型システムと相互にやりとりを行うことができ、設定変更可能なディスプレイ内に含まれる種々の導電性ポリマの変化を設計し、この変化を可能にする。さらに、着呼、着信メッセージ、信号強度などのような種々の特定されたイベントに基づいて上記変化が生じるように構成することができる。このようにして、移動端末ハウジングの着色又は目に見える外観をダイナミックに利用して、移動端末のデザインと機能性の両方を高めることが可能となる。
【００６３】
本発明の実施形態についての上述の説明は、例示と説明とを行うものではあるが、本発明を網羅したり、この開示された正確な形態に本発明を限定したりしようとするものではない。上記教示を考慮して修正及び変更を行うことが可能であり、あるいは本発明を実施することによって修正及び変更を取得することが可能である。
【００６４】
例として、少ないもので１つの導電性ポリマ領域及び多いもので５つの導電性ポリマ領域を有する移動端末に関連して本発明を説明した。しかし、本発明は追加の導電性ポリマ領域を組み込んで端末の外観のための構成可能性を高めることが可能である。
【００６５】
当業者には自明であるように、上記記載のような本発明の態様は、セルラ通信装置／システムと、方法と、コンピュータプログラム製品とのうちの少なくともいずれかにおいて実施可能である。したがって、本発明は、ハードウェアに組み込む構成と、（ファームウェア、常駐ソフトウェア、マイクロコードなどを含む）ソフトウェアに組み込む構成との少なくともいずれかの構成で実施することができる。さらに、本発明に従う態様は、コンピュータで使用可能な記憶媒体又はコンピュータ可読記憶媒体内のコンピュータプログラム製品の形態をとることが可能であり、該コンピュータプログラム製品はコンピュータで使用可能なプログラムコード又はコンピュータ可読プログラムコードを有し、また、このプログラムコードは媒体内に具現化されて、命令実行システムに関連して利用される。本発明の原理に従う態様を実現するために用いられる実際のソフトウェアコード又は特化された制御ハードウェアによって本発明が限定されることはない。したがって、具体的なソフトウェアコードに言及することなく、上記態様の処理及び振舞いについて説明を行った。本明細書での記載に基づいて上記態様の実現のためにソフトウェアを設計し、ハードウェアを制御することが可能であることは当業者であれば理解できるであろう。
【００６６】
さらに、本発明の或る部分は、１以上の機能を実行する「ロジック」として実装可能である。このロジックは特定用途向け集積回路又はフィールドプログラマブルゲートアレイのようなハードウェア、ソフトウェア、又はハードウェアとソフトウェアとの組み合わせを含むことができる。
【００６７】
本明細書で使用される場合、「備える／備えている（comprises/comprising）」という用語は、言及された特徴、整数、ステップ又は構成の存在を特定するために用いられるが、これら以外の特徴、整数、ステップ、構成、又はこれらのグループの存在又は追加を排除するものではない、という点を強調しておく。
【００６８】
本明細書での説明において用いられた要素、行為及び命令のいずれも、その旨明示されていないかぎり、本発明にとって極めて重要であるか、若しくは、不可欠なものであると解釈すべきではない。また、本明細書で使用されているように、不定冠詞「ａ」は１つ以上の項目又は品目を含むことが意図されている。１つだけの項目又は品目であることを意図する場合には、「１つの（one）」又は同様の表現が用いられる。さらに、「〜に基づいて（based on）」というフレーズは、別途明白に言明されていないかぎり、本明細書で使用されているように、「〜に少なくとも部分的に基づいて」ということを意味するように意図されたフレーズである。
【００６９】
本発明の範囲は請求項及びそれらの均等物によって規定される。
【図面の簡単な説明】
【００７０】
【図１Ａ】本発明に従う方法及びシステムが実現可能である例示の移動端末の正面図である。
【図１Ｂ】本発明に従う方法及びシステムが実現可能である例示の移動端末の正面図である。
【図２】本発明に従う実装例に基づく図１の移動端末の構成要素を例示するブロック図である。
【図３Ａ】本発明の原理に従う２つの実装構成に基づいて構成可能な表示領域の分解等角図である。
【図３Ｂ】本発明の原理に従う２つの実装構成に基づいて構成可能な表示領域の分解等角図である。
【図４】本発明に従う導電性ポリマ層へ電力を供給するための例示システムを示す図である。
【図５】本発明に従う方法及びシステムが実現可能である例示の移動端末の正面図である。
【図１Ａ】
2009529818.tif 000002
【図１Ｂ】
2009529818.tif 000003
【図２】
2009529818.tif 000004
【図３Ａ】
2009529818.tif 000005
【図３Ｂ】
2009529818.tif 000006
【図４】
2009529818.tif 000007
【図５】
2009529818.tif 000008
【手続補正書】
【提出日】平成20年5月5日(2008.5.5)
【手続補正１】
【補正対象書類名】特許請求の範囲
【補正対象項目名】全文
【補正方法】変更
【補正の内容】
【特許請求の範囲】
【請求項１】
ウィンドウを有するハウジングと、
前記ウィンドウの内部に形成され、前記ウインドウ内部に形成されたフレームを有する第１の電極と、
前記第１の電極上にわたって形成される導電性ポリマ層と、
前記導電性ポリマ層上にわたって形成される電解液層と、
前記電解液層と接触して形成されるイオン貯蔵層と、
前記イオン貯蔵層と接触して形成される第２の電極と、
前記第１の電極と前記第２の電極へ電圧を供給するための電源とを備え、
前記導電性ポリマ層の状態は、前記電圧の印加時に第１の無着色状態から第２の着色状態へ変化し、さらに、
前記導電性ポリマ層の前記状態の前記変化は、前記ハウジングの外観を変えることを特徴とする移動端末。
【請求項２】
前記ウィンドウは透明なウィンドウであることを特徴とする請求項１に記載の移動端末。
【請求項３】
前記ハウジングは複数の透明なウィンドウを含むことを特徴とする請求項２に記載の移動端末。
【請求項４】
前記複数の透明なウィンドウは、予め構成された設計の中へ形成されることを特徴とする請求項３に記載の移動端末。
【請求項５】
前記電極は導電性金属から成ることを特徴とする請求項１に記載の移動端末。
【請求項６】
前記導電性ポリマ層は、前記ウィンドウを通じて見えることを特徴とする請求項１に記載の移動端末。
【請求項７】
前記第１の無着色状態は前記導電性ポリマ層の酸化状態に対応し、前記第２の着色状態は前記導電性ポリマ層の還元状態に対応することを特徴とする請求項１に記載の移動端末。
【請求項８】
前記導電性ポリマ層は、ポリ（スチレンスルホン酸）によってドープされたポリ（３，４-エチレンジオキシチオフェン（ethylenedioxythiopene））からなることを特徴とする請求項１に記載の移動端末。
【請求項９】
前記導電性ポリマ層はスピン・コーティングによって塗布されることを特徴とする請求項１に記載の移動端末。
【請求項１０】
前記導電性ポリマ層は約１００ｎｍ〜約５０００ｎｍの範囲の厚さを有することを特徴とする請求項１に記載の移動端末。
【請求項１１】
前記導電性ポリマ層の内部表面は塗装されることを特徴とする請求項１に記載の移動端末。
【請求項１２】
前記電解液層はゲルとして塗布された塩からなることを特徴とする請求項１に記載の移動端末。
【請求項１３】
前記ハウジングは第２のウィンドウを含み、前記第２の電極は前記第２のウィンドウの内部に形成され、さらに、前記イオン貯蔵層は前記第２の電極上にわたって形成される第２の導電性ポリマ層を備えることを特徴とする請求項１に記載の移動端末。
【請求項１４】
前記導電性ポリマ層の前記状態は、約０．６ボルト〜約２．０ボルトの範囲の電圧の印加時に、第１の無着色状態から第２の着色状態へ変化することを特徴とする請求項１に記載の移動端末。
【請求項１５】
前記電源及び前記導電性ポリマ層と動作可能に結合されたトランジスタ素子と、
前記電源から前記導電性ポリマ層へ電力を供給するために前記トランジスタ素子のアドレス指定を行うように構成されたロジックと
をさらに備えることを特徴とする請求項１に記載の移動端末。
【請求項１６】
前記ハウジングが第２のウィンドウを有する移動端末であって、
前記第２のウィンドウの内部に形成される前記第２の電極と、
前記第２の電極上にわたって形成される第２の導電性ポリマ層とをさらに備え、
前記電解液層は、前記電圧の印加時に、前記導電性ポリマ層と前記第２の導電性ポリマ層とにわたって、及び、前記導電性ポリマ層と前記第２の導電性ポリマ層との間に形成され、
前記導電性ポリマ層の状態は第１の無着色状態から第２の着色状態へ変化し、前記第２の導電性ポリマ層の状態は第１の着色状態から第２の無着色状態へ変化し、
前記導電性ポリマ層及び前記第２の導電性ポリマ層の前記状態の前記変化は、前記ハウジングの目に見える外観を変えることを特徴とする請求項１に記載の移動端末。
【請求項１７】
移動端末の外観を変える方法であって、
移動端末のハウジングにウィンドウを設けるステップと、
前記ウィンドウ上にわたって前記ウインドウ内部に形成された金属フレームを有する第１の電極を形成するステップと、
前記電極層にわたって導電性ポリマ層を形成するステップと、
前記導電性ポリマ層にわたって電解液層を形成するステップと、
前記電解液層との電気的接続時にイオン貯蔵層を形成するステップと、
前記イオン貯蔵層との電気的接続時に形成される第２の電極と、
前記第１の電極及び前記第２の電極に対して電圧を印加するステップとを有し、
電圧を印加する前記ステップは、前記導電性ポリマ層を第１の可視状態から第２の可視状態へ推移させることを特徴とする方法。
【請求項１８】
前記ウィンドウはマスク設計から形成されることを特徴とする請求項１７に記載の方法。
【請求項１９】
前記ウィンドウは前記ハウジングの表面の大部分を含むことを特徴とする請求項１７に記載の方法。
【請求項２０】
前記第１の可視状態は実質的に透明な可視状態であり、前記第２の可視状態は実質的に不透明な状態であることを特徴とする請求項１８に記載の方法。
【請求項２１】
前記第１の電極と前記第２の電極との間に第１の電圧を印加して、前記第１の可視状態から前記第２の可視状態へ前記導電性ポリマ層を変えるようにするステップと、
第１の電圧と反対の第２の電圧を前記第１の電極と前記第２の電極との間に印加して、前記第２の可視状態から前記第１の可視状態へ前記導電性ポリマ層を変えるようにするステップと
をさらに有することを特徴とする請求項１７に記載の方法。
【請求項２２】
設計パターンの中に、第１の透明な又は半透明な領域と第２の透明な又は半透明な領域とを含んだ、透明な又は半透明な複数の領域を有する移動電話機のハウジングと、
前記第１の透明な又は半透明な領域の裏側に形成される第１の電極と、
前記第２の透明な又は半透明な領域の裏側に形成される第２の電極と、
前記第１の電極の裏側に形成される第１の導電性ポリマ領域であって、前記少なくとも１つの透明な又は半透明な領域を通じて目に見える第１の導電性ポリマ領域と、
前記第２の電極の裏側に形成される第２の導電性ポリマ領域であって、前記少なくとも１つの透明な又は半透明な領域を通じて目に見える第２の導電性ポリマ領域可視と、
前記第１及び第２の導電性ポリマ領域上にわたって形成される単一の電解液層と、
イベントに応じるように構成されたロジックとを備え、
前記イベントに応じて、前記ロジックは、電源から前記第１及び第２の電極へ電圧を供給させ、それによって前記第１及び第２の導電性ポリマ領域の色を変えることを特徴とするシステム。
【請求項２３】
前記イベントは、前記移動電話機に関連づけられた入力装置とのユーザのやりとりであることを特徴とする請求項２２に記載のシステム。
【請求項２４】
前記ユーザのやりとりは、前記移動電話機におけるメニュー駆動型ディスプレイとのユーザのやりとりを備えることを特徴とする請求項２３に記載のシステム。
【請求項２５】
前記イベントは移動電話機のアラートであることを特徴とする請求項２２に記載のシステム。
【請求項２６】
前記移動電話機のアラートは着呼アラートであることを特徴とする請求項２５に記載のシステム。
【請求項２７】
前記移動電話機のアラートは着信メッセージアラートであることを特徴とする請求項２５に記載のシステム。
【請求項２８】
複数の透明な又は半透明な領域の各領域は、前記透明な又は半透明な領域にわたって形成されるそれぞれの電極と、前記電極上にわたって形成される導電性ポリマ層と、前記導電性ポリマ層にわたって形成される電解液層であって、少なくとも１つの別の導電性ポリマ層と電気的接触状態にある電解液層とを含み、
前記ロジックは、複数の導電性ポリマ領域の各領域の色を選択的に変えるように構成されることを特徴とする請求項２２に記載のシステム。
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
ウィンドウを有するハウジングと、
前記ウィンドウの内部に形成され、前記ウインドウ内部に形成されたフレームを有する第１の電極と、
前記第１の電極上にわたって形成される導電性ポリマ層と、
前記導電性ポリマ層上にわたって形成される電解液層と、
前記電解液層と接触して形成されるイオン貯蔵層と、
前記イオン貯蔵層と接触して形成される第２の電極と、
前記第１の電極と前記第２の電極へ電圧を供給するための電源とを備え、
前記導電性ポリマ層の状態は、前記電圧の印加時に第１の無着色状態から第２の着色状態へ変化し、さらに、
前記導電性ポリマ層の前記状態の前記変化は、前記ハウジングの外観を変えることを特徴とする移動端末。
【請求項２】
前記ハウジングは、予め構成されたデザインに形成された複数の透明なウィンドウを含むことを特徴とする請求項１に記載の移動端末。
【請求項３】
前記導電性ポリマ層は、ポリ（スチレンスルホン酸）によってドープされたポリ（３，４-エチレンジオキシチオフェン（ethylenedioxythiopene））からなり、その厚みがおよそ１００ｎｍから５０００ｎｍの範囲であることを特徴とする請求項１に記載の移動端末。
【請求項４】
前記ハウジングは第２のウィンドウを含み、前記第２の電極は前記第２のウィンドウの内部に形成され、さらに、前記イオン貯蔵層は前記第２の電極上にわたって形成される第２の導電性ポリマ層を備えることを特徴とする請求項１に記載の移動端末。
【請求項５】
前記導電性ポリマ層の前記状態は、約０．６ボルトから約２．０ボルトの範囲の電圧の印加時に、第１の無着色状態から第２の着色状態へ変化することを特徴とする請求項１に記載の移動端末。
【請求項６】
前記ハウジングが第２のウィンドウを有する移動端末であって、
前記第２のウィンドウの内部に形成される前記第２の電極と、
前記第２の電極上にわたって形成される第２の導電性ポリマ層とをさらに備え、
前記電解液層は、前記電圧の印加時に、前記導電性ポリマ層と前記第２の導電性ポリマ層とにわたって、及び、前記導電性ポリマ層と前記第２の導電性ポリマ層との間に形成され、
前記導電性ポリマ層の状態は第１の無着色状態から第２の着色状態へ変化し、前記第２の導電性ポリマ層の状態は第１の着色状態から第２の無着色状態へ変化し、
前記導電性ポリマ層及び前記第２の導電性ポリマ層の前記状態の前記変化は、前記ハウジングの目に見える外観を変えることを特徴とする請求項１に記載の移動端末。
【請求項７】
移動端末の外観を変える方法であって、
移動端末のハウジングに該ハウジングの表面の大部分を含むウィンドウを設けるステップと、
前記ウィンドウ上にわたって前記ウインドウ内部に形成された金属フレームを有する第１の電極を形成するステップと、
前記電極層にわたって導電性ポリマ層を形成するステップと、
前記導電性ポリマ層にわたって電解液層を形成するステップと、
前記電解液層との電気的接続時にイオン貯蔵層を形成するステップと、
前記イオン貯蔵層との電気的接続時に形成される第２の電極と、
前記第１の電極及び前記第２の電極に対して電圧を印加するステップとを有し、
電圧を印加する前記ステップは、前記導電性ポリマ層を第１の実質的に透明な可視状態から第２の実質的に不透明な可視状態へ推移させることを特徴とする方法。
【請求項８】
設計パターンの中に、第１の透明な又は半透明な領域と第２の透明な又は半透明な領域とを含んだ、透明な又は半透明な複数の領域を有する移動電話機のハウジングと、
前記第１の透明な又は半透明な領域の裏側に形成される第１の電極と、
前記第２の透明な又は半透明な領域の裏側に形成される第２の電極と、
前記第１の電極の裏側に形成される第１の導電性ポリマ領域であって、前記少なくとも１つの透明な又は半透明な領域を通じて目に見える第１の導電性ポリマ領域と、
前記第２の電極の裏側に形成される第２の導電性ポリマ領域であって、前記少なくとも１つの透明な又は半透明な領域を通じて目に見える第２の導電性ポリマ領域可視と、
前記第１及び第２の導電性ポリマ領域上にわたって形成される単一の電解液層と、
イベントに応じるように構成されたロジックとを備え、
前記イベントに応じて、前記ロジックは、電源から前記第１及び第２の電極へ電圧を供給させ、それによって前記第１及び第２の導電性ポリマ領域の色を変えることを特徴とするシステム。
【請求項９】
前記イベントは、前記移動電話機に関連づけられた入力装置とのユーザのやりとりであり、前記ユーザのやりとりは、前記移動電話機上のメニュー駆動表示を用いたユーザのやりとりを含み、前記イベントは、移動電話のアラートと、着呼アラートと、メッセージ着信アラートのうち少なくとも一つを含むことを特徴とする請求項８に記載のシステム。
【請求項１０】
複数の透明な又は半透明な領域の各領域は、前記透明な又は半透明な領域にわたって形成されるそれぞれの電極と、前記電極上にわたって形成される導電性ポリマ層と、前記導電性ポリマ層にわたって形成される電解液層であって、少なくとも１つの別の導電性ポリマ層と電気的接触状態にある電解液層とを含み、
前記ロジックは、複数の導電性ポリマ領域の各領域の色を選択的に変えるように構成されることを特徴とする請求項８に記載のシステム。
【国際調査報告】
2009529818.tif 000009
2009529818.tif 000010
2009529818.tif 000011